(57)【要約】【課題】コンソールボックスのボックス本体に対して脱着可能なアームレストを選択することでハイグレードのコンソールボックスに対応可能とし、かつアームレストの支持性能を高める。【解決手段】ボックス本体１０と、ボックス本体に対して脱着可能な複数種類の機能部品群とからなる車両用コンソールボックスであって、機能部品群には、ボックス本体１０に組込まれる各種の組替え部品１８と、ボックス本体に対して上方から組付けられるアームレスト２２とが準備されている。アームレスト２２は左右一対の支持脚３０を備え、ボックス本体は両支持脚が個別に挿入される一対のレール部材３４を備えている。両レール部材３４には、両支持脚との間の隙間をバネの付勢力で詰めるためのボールプランジャーが組込まれている。【選択図】図９
2013241037.tif 000002
【特許請求の範囲】
【請求項１】
上面に開口部を有するボックス本体と、ボックス本体に対して脱着可能な複数種類の機能部品群とからなる車両用コンソールボックスであって、
機能部品群には、ボックス本体の開口部内に選択的に組込まれる各種の組替え部品と、ボックス本体に対して上方から組付けられるアームレストとが準備されており、アームレストは、その内部フレームに固定されて下方へ延びる左右一対の支持脚を備え、ボックス本体は、アームレストの両支持脚が個別に挿入されて、これらの支持脚を支持することができる一対のレール部材を備え、両レール部材には、両支持脚との間の隙間をバネの付勢力で詰めるためのボールプランジャーが組込まれている車両用コンソールボックス。
【発明の詳細な説明】
【技術分野】
【０００１】
本発明は、車両用コンソールボックスに関し、詳しくは共用の基本部材であるボックス本体に対して複数種類の機能部品群を選択的に組付けることで、ユーザーのニーズに対応することができる車両用コンソールボックスに関する。
【背景技術】
【０００２】
この種のコンソールボックスとしては、例えば特許文献１に開示された技術が既に知られている。この技術では、車体のフロアシフトレバー部分を被うように配置される基本のボックス本体と、このボックス本体に対して脱着可能な複数種類の組替え部品（カップホルダ、収納ボックスあるいはスイッチベース等）とを備えている。これらの組替え部品をボックス本体に選択的に組付けることで、ユーザーのニーズにあったコンソールボックスに仕上げることができる。
【先行技術文献】
【特許文献】
【０００３】
【特許文献１】特開２０１１−２３０６２６号公報
【発明の概要】
【発明が解決しようとする課題】
【０００４】
しかし、カップホルダや収納ボックスといった組替え部品を選択的に用いるだけでは、コンソールボックスの機能やデザインのバリエーションが乏しく、特にハイグレードのコンソールボックスに仕上げることは困難である。
【０００５】
本発明は、このような課題を解決しようとするもので、その目的は、ユーザーのニーズにあった機能やデザインに仕上げることが可能なコンソールボックスにおいて、ボックス本体に対して脱着可能なアームレストを選択することでハイグレードのコンソールボックスに対応でき、かつアームレストの支持性能を高めることである。
【課題を解決するための手段】
【０００６】
本発明は、上記の目的を達成するためのもので、以下のように構成されている。
上面に開口部を有するボックス本体と、ボックス本体に対して脱着可能な複数種類の機能部品群とからなる車両用コンソールボックスであって、機能部品群には、ボックス本体の開口部内に選択的に組込まれる各種の組替え部品と、ボックス本体に対して上方から組付けられるアームレストとが準備されている。アームレストは、その内部フレームに固定されて下方へ延びる左右一対の支持脚を備えている。ボックス本体は、アームレストの両支持脚が個別に挿入されて、これらの支持脚を支持することができる一対のレール部材を備えている。両レール部材には、両支持脚との間の隙間をバネの付勢力で詰めるためのボールプランジャーが組込まれている。
【発明の効果】
【０００７】
本発明においては、ボックス本体に対して脱着可能な複数種類の機能部品群に各種の組替え部品とアームレストとが準備されており、これらを選択的に用いることによってコンソールボックスをユーザーのニーズにあった機能やデザインに仕上げることができ、特にアームレストの脱着によってバリエーションを拡大でき、アームレストを選択してハイグレードのコンソールボックスに対応することもできる。
また、アームレストの両支持脚がボックス本体のレールに挿入された状態では、相互間の隙間がボールプランジャーによって詰められるため、ボックス本体に組付けられたアームレストの支持性能が高められ、かつアームレストのガタツキが抑えられる。
【図面の簡単な説明】
【０００８】
【図１】車両用コンソールボックスのボックス本体を表した斜視図。
【図２】機能部品群における組替え部品の一つである大型トレイの斜視図。
【図３】機能部品群における組替え部品の一つである小型トレイの斜視図。
【図４】機能部品群における組替え部品の一つであるカップホルダの斜視図。
【図５】機能部品群における組替え部品の一つであるスマートホンホルダの斜視図。
【図６】機能部品群におけるアームレストを表した斜視図。
【図７】ボックス本体に組替え部品を選択して組付けた状態の斜視図。
【図８】図７のボックス本体にアームレストを組付けた状態の斜視図。
【図９】図８においてボックス本体側を断面で表した側面図。
【図１０】図９の一部を拡大して表した断面図。
【図１１】図１０のＡ−Ａ矢視方向の断面図。
【図１２】図８のボックス本体にリヤカバーを追加した状態の斜視図。
【発明を実施するための形態】
【０００９】
以下、本発明を実施するための形態を、図面を用いて説明する。
図１で示すボックス本体１０は、ユーザーによるカスタマイズが可能なコンソールボックスの共用部品であって、その外郭は左右両側のサイドプレート１２および後側のリヤプレート１４によって構成されている。そして、ボックス本体１０の上面には、後述する機能部品群のうちの各組替え部品１８（大型トレイ１８Ａ、小型トレイ１８Ｂ、カップホルダ１８Ｃなど）を選択的に組込むための開口部１６が設けられている。
開口部１６の内部には各組替え部品１８を受け支える底板１７があり、かつ両サイドプレート１２の内面側には、所定の間隔で一列に並んだ複数個の係合孔１３がそれぞれ開けられている。なお、図１においては、開口部１６内の右側に位置する各係合孔１３のみが見えており、左側の各係合孔１３は隠れている。
【００１０】
ボックス本体１０に対して脱着可能に組付けられる機能部品群のうち、ボックス本体１０の開口部１６に選択的に組込まれる各組替え部品１８の例としては、図２で示す大型トレイ１８Ａ、図３で示す小型トレイ１８Ｂ、図４で示すカップホルダ１８Ｃ、図５で示すスマートホンホルダ１８Ｄがある。機能部品群には、各組替え部品１８の他に図６で示すアームレスト２２が含まれている。
なお、各組替え部品１８を説明するとき、それらの個々については図２〜図５で示す大型トレイ１８Ａ、小型トレイ１８Ｂ、カップホルダ１８Ｃ、スマートホンホルダ１８Ｄとして区別し、これらを総称するときには各組替え部品１８として説明する。
【００１１】
各組替え部品１８は、個々に上面が開放された収納部１９を有するとともに、左右の両外縁の前後両端部において、計４個の係合ピン２０が設けられている。ただし、図２〜図５では、各組替え部品１８の左側外縁に設けられた２個の係合ピン２０のみが見えている。大型トレイ１８Ａおよび小型トレイ１８Ｂの収納部１９は小物入れ等として使用され、カップホルダ１８Ｃの一対の収納部１９は飲料用のカップや缶を入れるのに使用され、スマートホンホルダ１８Ｄの収納部１９はスマートホンをセットするのに使用されるのは周知のとおりである。また、カップホルダ１８Ｃは、その収納部１９を開閉するためのリッド１５を備えている。
各組替え部品１８はボックス本体１０の開口部１６に対して脱着されることから、個々の係合ピン２０は内蔵バネ（図示省略）の付勢力によって係合孔１３に嵌り合っており、各組替え部品１８を持ち上げることで開口部１６から外すことができる。
【００１２】
各組替え部品１８がボックス本体１０の開口部１６に個々に組付けられたとき、それぞれの係合ピン２０は対応する係合孔１３に嵌り合う。例えば大型トレイ１８Ａにおいては、開口部１６にその全空間を占めた状態で組込まれ、その各係合ピン２０は左右の最前後端に位置している計４個の係合孔１３に嵌り合うことになる。また、小型トレイ１８Ｂにおいては、図７で示すようにカップホルダ１８Ｃおよびスマートホンホルダ１８Ｄと組み合わせて開口部１６に組込まれ、個々の４個の係合ピン２０がそれぞれに対応する係合孔１３に嵌り合う。そして、開口部１６に組込まれた各組替え部品１８は、それぞれの下面が開口部１６の底板１７に受けられ、それによって各組替え部品１８の組付け状態が安定する（図９）。
【００１３】
機能部品群の一つであるアームレスト２２は、その上面において開放された小物入れ２４およびスマートホンホルダ２６を有する。これらの小物入れ２４およびスマートホンホルダ２６については、アームレスト２２としての本来の機能を優先させる場合などには、いずれか一方あるいは両方共に廃止された構成となる。
アームレスト２２は、その後側の内部から下方へ延びる左右一対の支持脚３０を備えている。これらの両支持脚３０の上端部分は、アームレスト２２の内部フレーム（図示省略）に固定されたブラケット２８に対し、強固に結合されている（図９）。両支持脚３０は、図１１で示す断面形状になっており、それぞれの片側（外側）部分は、つぎに説明するレール部材３４のガイド溝３６に挿入される摺動部３２となっている。
【００１４】
ボックス本体１０の内部には、アームレスト２２の両支持脚３０を個別に支持する左右一対のレール部材３４が上下に向けてそれぞれ固定されている（図９）。ただし、図９においては片側（左側）のレール部材３４のみが見えている。両支持脚３０はそれぞれガイド溝３６を有し、これらのガイド溝３６に両支持脚３０の摺動部３２が個別に挿入される。両レール部材３４には、前後両側の上下２箇所ずつ計４箇所においてボールプランジャー３８が組込まれている（図１０）。
各ボールプランジャー３８は、先端部に一部が突出したボール３８ａと、このボール３８ａを押出す方向へ付勢するバネ３８ｂとが内蔵されている（図１１）。したがって、各ボールプランジャー３８は、レール部材３４のガイド溝３６に挿入された支持脚３０の摺動部３２に対し、それぞれのボール３８ａをバネ３８ｂの付勢力で押付け、それによって摺動部３２とガイド溝３６との前後方向の隙間を詰めることができる。
【００１５】
図８で示すようにボックス本体１０にアームレスト２２を組付けるには、図７で示す各組替え部品１８のうち、開口部１６の最後部に組込まれているスマートホンホルダ１８Ｄを取外す。そして、スマートホンホルダ１８Ｄが外された跡のスペースを利用して開口部１６側からボックス本体１０の内部にアームレスト２２の両支持脚３０を差込む。これにより、前述のように両支持脚３０の摺動部３２が個々のレール部材３４のガイド溝３６に挿入されて両支持脚３０がしっかりと支持され、ボックス本体１０にアームレスト２２が組付けられる。
このように、ボックス本体１０にアームレスト２２を組付けることで、コンソールボックスのハイグレード化が可能になる（図８）。また、前述のように両支持脚３０の摺動部３２と両レール部材３４のガイド溝３６との間の隙間がボールプランジャー３８によって詰められるため、アームレスト２２の支持性能が高められて支持脚３０とレール部材３４との間でのガタツキが抑えられる。
【００１６】
図１２で示すようにボックス本体１０およびアームレスト２２を、後方へ一体的に延長するリヤカバー４０を使用すれば、コンソールボックスをよりハイグレードに仕上げることが可能である。そして、このリヤカバー４０には、後部席からアクセスできるスマートホンホルダ４２を設けることもできる。
【符号の説明】
【００１７】
１０ ボックス本体
１６ 開口部
１８ 各組替え部品
２２ アームレスト
３０ 支持脚
３４ レール部材
３８ ボールプランジャー
【図１】
2013241037.tif 000003
【図２】
2013241037.tif 000004
【図３】
2013241037.tif 000005
【図４】
2013241037.tif 000006
【図５】
2013241037.tif 000007
【図６】
2013241037.tif 000008
【図７】
2013241037.tif 000009
【図８】
2013241037.tif 000010
【図９】
2013241037.tif 000011
【図１０】
2013241037.tif 000012
【図１１】
2013241037.tif 000013
【図１２】
2013241037.tif 000014